(57)【特許請求の範囲】
【請求項１】
前方が開口した収納箱に、前枠と左右の側枠と後ろ枠とからなる引出し枠を収納し、引出し枠の後ろ枠から下方に向けてハンガー体取り付け板を垂設し、前方に向けて突出させた複数のハンガー体の後端部をハンガー体取り付け板の前面に横方向に間隔をあけて且つ上下方向の高さを異ならせて取り付けてなることを特徴とする引出しの構造。
【請求項２】
ハンガー体の前端部を引出し枠の少なくとも前枠の下端部よりも下方に位置させてなることを特徴とする請求項１記載の引出しの構造。
【発明の詳細な説明】
【０００１】
【発明の属する技術分野】
本発明は、引出しの構造に関し、詳しくは衣類収納家具にハンガー体を引き出し自在に取り付けることができる技術に関するものである。
【０００２】
【従来の技術】
一般に、クローゼットや洋服だんす等の衣類収納家具において、図７、図８に示すように、前方に開口した衣類吊り下げ用収納空間Ｓの上部に１本の横向きバー２０を架設し、これにハンガー２１によりスーツやスラックス等の衣類９を吊り下げるようにしている。
【０００３】
【発明が解決しようとする課題】
ところが、従来のように収納箱１内部に横向きバー２０を固定した構造にあっては、衣類９をハンガー２１により横向きバー２０に掛けたままの状態では、外部から衣類９全体を見渡すことができず、衣類選びやその出し入れに手間がかかり、横向きバーの取り付け位置にも制約があった。
【０００４】
本発明は上記の点に鑑みてなされたものであり、その目的とするところは、衣類選びやその出し入れを容易に行うことができる引出しの構造を提供するにある。
【０００５】
【課題を解決するための手段】
上記課題を解決するために本発明は、前方Ｆが開口した収納箱１に、前枠３と左右の側枠４と後ろ枠５とからなる引出し枠２を収納し、引出し枠２の後ろ枠５から下方に向けてハンガー体取り付け板６を垂設し、前方Ｆに向けて突出させた複数のハンガー体７の後端部７ｂをハンガー体取り付け板６の前面６ａに横方向に間隔をあけて且つ上下方向の高さを異ならせて取り付けてなることを特徴としており，このように構成することで、引出し枠２を引き出すことによってハンガー体７とこれに掛けた衣類９とが一緒に外側に引き出されることとなり、衣類９全体を一度で見渡すことができ、衣類選びが容易となる。しかも前方Ｆに向けて突出させたハンガー体７の後端部７ｂをハンガー体取り付け板６に取り付けてあるので、ハンガー体７の取り付け位置が引出し枠２の後方Ｂに位置することとなり、この結果、ハンガー体７を引出し枠２を利用して保持できるようにした構造でありながら、衣類の出し入れを引出し枠２で邪魔されることなく容易に行うことができる。また複数のハンガー体７の後端部７ｂをハンガー体取り付け板６の前面６ａに横方向に間隔をあけて且つ上下方向の高さを異ならせて取り付けたので、隣り合う衣類の重なり巾が少なくなり、衣類選びがしやすくなると共に、隣り合うハンガー体同士が当たることがないので、ハンガー体の数を増やすことができる。
【０００６】
また上記ハンガー体７の前端部７ａを引出し枠２の少なくとも前枠３の下端部３ａよりも下方に位置させるのが好ましく、この場合、引出し枠２を引き出したときには、引出し枠２の上方から下の衣類９を見渡すことができ、衣類９を見渡す範囲が広がり、衣類選びがきわめて容易となる。
【０００８】
【発明の実施の形態】
以下、本発明の実施の形態の一例としてクローゼットＡを例示する。
【０００９】
クローゼットＡは、図１に示すように、建物に据え付けられた収納箱１と、収納箱１の開口部を開閉する扉８とで構成されており、収納箱１内の上半部には上下複数段の収納棚１０が設置され、下半部には前方Ｆに開口した衣類吊り下げ用収納空間Ｓが設けられ、この衣類吊り下げ用収納空間Ｓ内に引出し５０が収納されている。この引出し５０は、前方Ｆに向かって引き出し自在とされた平面視ロ字状の引出し枠２と、引出し枠２に一体に取り付けられたハンガー体７とからなる。
【００１０】
引出し枠２は、図２に示すように、取手３０が設けられた前枠３と、互いに平行な左右の側枠４，４と、前枠３と平行な後ろ枠５とが一体に構成されている。図１、図３の例では、上半部に設置された収納棚１０のうちの最下段の収納棚１０の下面に引出し枠２が近接配置され、引出し枠２の収納状態で該最下段の収納棚１０の前端部と引出し枠２の前枠３の上端部との間に隙間をなくして外観上の一体感が得られるようにしてある。もちろん、最下段の収納棚１０の下方に隙間をあけて引出し枠２を配置してもよいものである。
【００１１】
上記引出し枠２は、図３に示すレール１１を介して収納箱１にスライド自在に支持されている。レール１１の構造は特に限定されず、例えば引出し枠２の左右の側枠４の外面に凸状レールをそれぞれ取り付け、収納箱１の対向する内側壁にそれぞれ前後方向に沿って凹状レールを取り付け、各凹状レール内に凸状レールをスライド嵌合させた構造であってもよい。
【００１２】
上記引出し枠２の後ろ枠５からは、下方に向かってハンガー体取り付け板６が垂設されている。本例では、図２に示すように、後ろ枠５とハンガー体取り付け板６とが１枚の板体で形成されている。ハンガー体取り付け板６の横巾寸法ｄ1は、後ろ枠５の横巾寸法Ｄ1と略同じとされ、縦巾寸法ｄ2は前枠３の縦巾寸Ｄ2及び側枠４の縦巾寸法Ｄ3よりもそれぞれ大きくされている。ここで、例えば上記ｄ1は１７７ｍｍ、ｄ2は２５０ｍｍ、Ｄ1は１７７ｍｍ、Ｄ2は６０ｍｍ、Ｄ3は４５ｍｍとされるが、勿論、これらの数値に限定されるものではない。
【００１３】
ハンガー体取り付け板６の前面６ａには、図４に示すように、前方Ｆに向けて突出させたハンガー体７の後端部７ｂを取り付けるための複数の取り付け部１３が設けられている。各取り付け部１３は例えば４個のネジ孔１２からなり、横方向に間隔をあけて且つ上下方向の高さを異ならせて複数箇所に設けてある。各取り付け部１３には、図５に示すように、ハンガー体７の後端部７ｂを支持するための受け金具１３がネジ１５により取り付けられている。
【００１４】
ハンガー体７は、本例ではスラックスを掛けるハンガー（以下、スラックスハンガー７という。）が用いられ、その前端部７ａが引出し枠２の少なくとも前枠３の下端部３ａよりも下方に配置されている。スラックスハンガー７の前端部７ａには滑り落ち防止用の突起部１６が設けられている。スラックスハンガー７の後端部７ｂは下方に向かって略Ｌ字状に屈曲され、上記受け金具１３の筒状部１４内に挿入支持されている。本例では、受け金具１３の筒状部１４はスラックスハンガー７の前端部７ａが図２のイで示す左右方向に回転できるようにスラックスハンガー７の後端部７ｂを片持ち支持しているが、もちろん、スラックスハンガー７が回転できないように片持ち支持してもよいものである。
【００１５】
しかして、図３（ｂ）に示すように、引出し枠２を引き出すことによってスラックスハンガー７とこれに掛けたスラックス９とが一緒に収納箱１の外側に引き出されることとなり、スラックス９全体を一度で見渡すことができ、衣類選びが容易となる。しかも前方Ｆに向けて突出させたスラックスハンガー７の後端部７ｂが、引出し枠２の後ろ枠５から垂設させたハンガー体取り付け板６に取り付けられているので、スラックスハンガー７の取り付け位置が引出し枠２の後方Ｂに位置することとなり、スラックスハンガー７を引出し枠２を利用して保持できるようにした構造でありながら、衣類の出し入れを引出し枠２で邪魔されることなく容易に行うことができる。さらに、スラックスハンガー７の前端部７ａを引出し枠２の少なくとも前枠３の下端部３ａよりも下方に位置させてあるので、図３（ｂ）のように引出し枠２を完全に引き出したときには、引出し枠２の上方から下のスラックス９を見渡すことができ、見渡す範囲が広がることで、衣類選びがきわめて容易となる。なお引出しを途中まで引き出した場合でも引出し枠２の上方から下のスラックス９全体のうちの略前半分を見渡すことができるので、前枠３で邪魔されることなく、上方から衣類選びができるようになる。さらに図３（ａ）のように引出しを収納した状態であっても、引出し枠２の前枠３の下方にスラックスハンガー７が位置しているので収納状態でも衣類選びが可能である。
【００１６】
また、図５、図６（ｂ）に示すように、ハンガー体取り付け板６に複数のスラックスハンガー７を高さが異なるようにして取り付けた場合には、隣り合うスラックス９の重なり巾が少なくなり、衣類選びがしやすくなるという利点に加えて、隣り合うスラックスハンガー７同士が当たることもないので、スラックスハンガー７の数を更に増やすことができ、衣類の収納量を増加させることができ、尚且つ出し入れもしやすいという利点がある。また棒状のスラックスハンガー７の後端部７ｂを屈曲させてハンガー体取り付け板６に固定された受け金具１３の筒状部１４に挿入させているので、スラックスハンガー７の取り付けが容易にしかも確実となり、スラックスハンガー７に荷重が加わったときでもハンガー体取り付け板６を介して引出し枠２全体でその荷重が受けられるので、片持ち構造のスラックスハンガー７の取り付け強度が向上し、スラックス等の衣類の収納量の増加に容易に対応できるものとなる。さらに本実施形態では各スラックスハンガー７を左右に回転自在に取り付けてあるので、スラックス９が掛け易く且つ取り出し易くなり、一層使い勝手が良くなるという利点もある。
【００１７】
前記実施形態では、複数のスラックスハンガー７を高さを異ならせて配置した場合を説明したが、同じ高さで配置してもよいものである。またハンガー体としてスラックスハンガーを例示したが、もちろんこれに限られるものではない。
【００１８】
本発明の引出しの構造は、建物に据え付けられたクローゼットに限らず、洋服だんすのような置き家具など、衣類収納家具全般に広く適用されるものである。
【００１９】
【発明の効果】
上記のように本発明のうち請求項１記載の発明は、前方が開口した収納箱に、前枠と左右の側枠と後ろ枠とからなる引出し枠を収納し、引出し枠の後ろ枠から下方に向けてハンガー体取り付け板を垂設し、前方に向けて突出させた複数のハンガー体の後端部をハンガー体取り付け板の前面に横方向に間隔をあけて且つ上下方向の高さを異ならせて取り付けてなるので、引出し枠を引き出すことによってハンガー体とこれに掛けた衣類とが一緒に外側に引き出されることとなり、衣類全体を一度で見渡すことができ、衣類選びが容易となる。しかも前方に向けて突出させたハンガー体の後端部をハンガー体取り付け板に取り付けてあるので、ハンガー体の取り付け位置が引出し枠の後方に位置することとなり、ハンガー体を引出し枠を利用して保持できるようにした構造でありながら、衣類の出し入れを引出し枠で邪魔されることなく容易に行うことができる。また、ハンガー体に荷重が加わったときでもハンガー体取り付け板を介して引出し枠全体でその荷重が受けられるので、片持ち構造のハンガー体の取り付け強度が向上し、スラックス等の衣類の収納量の増加に容易に対応できるものとなる。さらに、ハンガー体の後端部をハンガー体取り付け板の前面に横方向に間隔をあけて且つ上下方向の高さを異ならせて取り付けたので、隣り合う衣類の重なり巾が少なくなり、衣類選びがしやすくなると共に、隣り合うハンガー体同士が当たることがないので、ハンガー体の数を増やすことができ、衣類の収納量を増加させることができる。
【００２０】
また請求項２記載の発明は、請求項1記載の効果に加えて、ハンガー体の前端部を引出し枠の少なくとも前枠の下端部よりも下方に位置させてなるので、引出し枠を引き出したときには、引出し枠の上方から下の衣類を見渡すことができ、衣類を見渡す範囲が広がり、衣類選びがきわめて容易となる。また引出しを途中まで引き出した場合でも引出し枠の上方から下の衣類全体のうちの略前半分を見渡すことができるので、前枠で邪魔されることなく、上方から衣類選びができるようになる。
【図面の簡単な説明】
【図１】本発明の実施形態の一例の斜視図である。
【図２】（ａ）は同上の引出し枠の引き出し状態を説明する斜視図、（ｂ）は引出し枠の平面図である。
【図３】（ａ）は同上の引出し枠の収納状態を説明する側面図、（ｂ）は引き出し状態を説明する側面図である。
【図４】（ａ）（ｂ）は同上のハンガー体取り付け板の正面図、及び側面図である。
【図５】同上のハンガー体取り付け板にハンガー体を取り付けた状態を説明する正面図である。
【図６】（ａ）（ｂ）は同上のハンガー体取り付け板にハンガー体を取り付けた状態を説明する一部省略平面図、及び一部省略側面図である。
【図７】従来の衣類収納家具を説明する正面図である。
【図８】従来の斜視図である。
【符号の説明】
１  収納箱
２  引出し枠
３  前枠
３ａ  下端部
４  側枠
５  後ろ枠
６  ハンガー体取り付け板
６ａ  前面
７  ハンガー体
７ａ  前端部
７ｂ  後端部
Ｆ  前方
【図１】
0003541711.tif 000002
【図２】
0003541711.tif 000003
【図３】
0003541711.tif 000004
【図４】
0003541711.tif 000005
【図５】
0003541711.tif 000006
【図６】
0003541711.tif 000007
【図７】
0003541711.tif 000008
【図８】
0003541711.tif 000009